(57)【要約】【課題】マルチキャリア伝送方式においてＬＤＰＣ符号を多値変調に適用しても反復復調と反復誤り訂正を効率よく利用することにより、特性の優れたＬＤＰＣ符号化変調方式を実現し、データ伝送の特性を向上させる。【解決手段】反復復号を完了した際に復号器の事前値を保存する記憶手段と、次回の反復復号を行う前に、復号器の初期化を行い、記憶した事前値に基づいて復号器の初期値を更新する更新手段とを備え、該更新された初期値に基づいて、引き続いて反復復号を行う。【選択図】図２
2007124341.tif 000002
【特許請求の範囲】
【請求項１】
マルチキャリア伝送方式において、一入力値に対する反復復号について繰り返しＬＤＰＣ復号を行う復号装置であって、
前記反復復号を完了した際に復号器の事前値を保存する記憶手段と、
次回の反復復号を行う前に、復号器の初期化を行い、前記記憶手段に記憶した事前値に基づいて復号器の初期値を更新する更新手段と、を備え、
該更新された初期値に基づいて、引き続いて反復復号を行うことを特徴とする復号装置。
【請求項２】
マルチキャリア伝送方式において、一入力値に対する反復復号について繰り返しＬＤＰＣ復号を行う復号方法であって、
前記反復復号を完了した際に復号器の事前値を保存する第１のステップと、
次回の反復復号を行う前に、復号器の初期化を行い、前記保存した事前値に基づいて復号器の初期値を更新する第２のステップと、
該更新された初期値に基づいて、引き続いて反復復号を行う第３のステップと、
を有することを特徴とする復号方法。
【請求項３】
マルチキャリア伝送方式において、復調器の出力復調値をＬＤＰＣ復号器に入力し、繰り返しＬＤＰＣ復号を行う復調復号装置であって、
前記復号器が初期化を行って反復復号を行い、復号器の出力事後値を出力するとともに、該出力された出力事後値をフィードバック入力して復調値を更新し、引き続いて復調復号を行うものであり、
前記反復復号を完了した際に復号器の事前値を保存する記憶手段と、
次回の反復復号を行う前に、復号器の初期化を行い、前記記憶手段に記憶した事前値に基づいて復号器の初期値を更新する更新手段と、を備え、
該更新された初期値に基づいて、引き続いて反復復号を行うことを特徴とする復調復号装置。
【請求項４】
マルチキャリア伝送方式において、復調器の出力復調値をＬＤＰＣ復号器に入力し、繰り返しＬＤＰＣ復号を行う復調復号方法であって、
前記復号器が初期化を行って反復復号を行い、復号器の出力事後値を出力する第１のステップと、
該出力された出力事後値をフィードバック入力して復調値を更新し、引き続いて復調復号を行う第２のステップと、
前記反復復号を完了した際に復号器の事前値を保存する第３のステップと、
次回の反復復号を行う前に、復号器の初期化を行い、前記保存した事前値に基づいて復号器の初期値を更新する第４のステップと、
該更新された初期値に基づいて、引き続いて反復復号を行う第５のステップと、
を有することを特徴とする復調復号方法。
【発明の詳細な説明】
【技術分野】
【０００１】
本発明は、マルチキャリア伝送方式における符号化変調において、低密度パリティ検査符号（Ｌｏｗ−Ｄｅｎｓｉｔｙ  Ｐａｒｉｔｙ−Ｃｈｅｃｋ  Ｃｏｄｅｓ；ＬＤＰＣ符号）を適用する復号装置および方法、ならびに復調復号装置および方法に関する。
【背景技術】
【０００２】
高い周波数利用効率を達成するためには、訂正能力の高い誤り訂正符号と多値変調の応用が必要である。例えば、非特許文献１に示すように、ｃｄｍａ２０００ ＨＲＰＤ（Ｈｉｇｈ  Ｒａｔｅ  Ｐａｃｋｅｔ  Ｄａｔａ）システムのような既存セルラーシステムにおいても、情報ビットをターボ符号化し、１６ＱＡＭ（Ｑｕａｄｒａｔｕｒｅ  Ａｍｐｌｉｔｕｄｅ  Ｍｏｄｕｌａｔｉｏｎ）などの多値変調を用いることにより、周波数利用効率を改善している。また、非特許文献２に示すように、変復調と符号復号技術の融合として、誤り訂正復号と多値レベルの変復調方式とを組み合わせる技術を提案したものがある。
【０００３】
また、非特許文献３に示すように、低密度パリティ検査符号（Ｌｏｗ−Ｄｅｎｓｉｔｙ  Ｐａｒｉｔｙ−Ｃｈｅｃｋ  Ｃｏｄｅｓ、以下、ＬＤＰＣ符号と略記する）は、新世代モバイルを対象とした無線方式において有力な候補として注目され、ターボ符号と並んで、シャノン限界に迫る性能を持つ。ＬＤＰＣ符号は、その特長として、復号アルゴリズムが、本質的に並列アルゴリズムであるため並列分散型ハードウェア実装に適している。また、様々な符号長、符号化率の符号を容易に構成できる柔軟性が利点として挙げられる。
【０００４】
多値レベルの変復調方式とＬＤＰＣ符復号技術の融合として、非特許文献４に示すような従来方式がある。非特許文献４の方式は、ＬＤＰＣ符号における反復復調復号方式である。この方式は、復調を行う後にＬＤＰＣ復号を行い、さらに、ＬＤＰＣ復号器の出力判定値（事後値）を復調器に戻して、復調値を更新し、更新した復調値をＬＤＰＣ復号器に入力して反復復号を行う。こうしたＬＤＰＣ符号における反復復調復号方式は、反復復調を行わない復号方式より、特性をさらに改善することができる。
【０００５】
その非特許文献４の方式は、シングルキャリア伝送システムに適用する反復復調復号方式である。新世代移動通信システムにおいては、シングルキャリア伝送方式に代わり、マルチキャリア伝送方式が有力視されている。マルチキャリア伝送方式の代表的なものとしては、ＯＦＤＭ（Orthogonal Frequency Division Multiplexing；直交周波数分割多重）方式やＭＣ−ＣＤＭＡ（Multi-Carrier - Code Division Multiple Access；マルチキャリア符号分割多重アクセス）方式などが知られている。ＯＦＤＭ伝送方式における多値レベルの変復調方式とＬＤＰＣ符復号技術の融合技術としては、非特許文献５に記載される方式が知られている。非特許文献５の方式は、マルチキャリア伝送方式において、復調を行った後にＬＤＰＣ復号を行う方式である。その非特許文献５の方式では、反復復調復号を行わない。
【非特許文献１】3GPP2, C.S0024 Version 4.0, “cdma2000 High Rate Packet Data Air Interface Specification,” Oct. 2002.
【非特許文献２】S. ten Brink, J. Speidel, and R. Yan, “Iterative Demapping and Decoding for Multilevel Modulation,” Proc. GlobeCom, pp.579-584, 1998.
【非特許文献３】和田山正：低密度パリティ検査符号とその復号法，トリケップス，2002.
【非特許文献４】R. Narayanaswami, “Coded Modulation with Low-Density Parity-Check Codes,” Master’s Thesis, Dept. Elect. Eng., Texas A&M Univ., College Station, TX, 2001
【非特許文献５】H. Futaki and T. Ohtsuki, “Low-Density Parity-Check (LDPC) Coded OFDM Systems with M-PSK,” IEEE Vehicular Techn. Conf. VTC Spring 2002, vol.2, pp.1035-1039, May 2002.
【発明の開示】
【発明が解決しようとする課題】
【０００６】
非特許文献４の方式に示されるように、反復復調復号を行う場合、復調の後にＬＤＰＣ復号を行い、さらにＬＤＰＣ復号器の出力軟判定値（事後値）を復調器に戻して復調値を更新し、更新した復調値をＬＤＰＣ復号器に入力して反復復号を行う。ＬＤＰＣ符号における反復復調復号方式は、反復復調を行わない復号方式より、特性をさらに改善することができる。しかし、非特許文献５に示したマルチキャリア伝送方式における従来方式においては、反復復調復号を行わないので、特性をさらに改善することができない。
【０００７】
ここで、反復復調復号方式についての一般的なアルゴリズムは非特許文献２に記載されており、非特許文献４に示した従来方式によるシングルキャリア伝送方式に適用したＬＤＰＣ符号の反復復調復号方式の処理フローは図４のようになっている。図４の処理フローには二つの処理が含まれており、その一つが反復復調を行う外部処理（図中、ステップＳ２７からステップＳ３０）である。すなわち、ＬＤＰＣ復号器から戻ってくる復号器の事後値を復調器の事前値として、復調器の出力復調値を更新する。二つ目の処理は反復復号を行う内部処理（図中、ステップＳ２２からステップＳ２６）である。すなわち、復調器において更新した復調値をＬＤＰＣ復号器に入力し、ＬＤＰＣ反復復号を行う。なお、図４は対数領域Ｓｕｍ−Ｐｒｏｄｕｃｔ復号アルゴリズムを示すものであり、詳細な復号アルゴリズムは非特許文献３に詳しく記載されている。
【０００８】
図４に示されるように復号アルゴリズムにおける主な処理には、行処理、列処理、およびパリティ検査がある。行処理は復号器の外部値を更新するものであり、列処理は復号器の事前値を更新するものである。ＬＤＰＣ復号を行った後に、復号器の事後値は反復復調器に戻される。以上の処理を繰り返して行う。
【０００９】
しかしながら、図４に示した従来の方式では、毎回反復復調を行った後に、すなわち内部処理となるＬＤＰＣ復号を行う前に、復号処理の初期化を行うが、その復号処理初期化の際、復号器の事前値を０に設定している。この結果、反復復調を行う都度、事前値がゼロクリアされるため、大きな反復復号回数を設定する必要があり、全ての反復回数（反復復調回数と反復復号回数の合計）が増えるという問題がある。
【００１０】
また、システム構成の複雑化を抑制するためには、全ての反復回数を減らす必要があるが、全ての反復回数を減らすことにより誤り率特性の劣化を招くという問題がある。例えば、反復復調回数をＰ、反復復号回数をＱとした場合、全ての反復回数はＴ＝Ｐ×Ｑになるが、Ｔを一定値とするためには、反復復調回数がＰ＞１であることから、反復復号回数Ｑを減らす必要がある。すなわち、従来方式においては、毎回復号初期化を行うときに、事前値として０を設定するため、反復復号回数Ｑを減らすことになって、特性の劣化を招くという問題がある。
【００１１】
本発明は上記課題に鑑みてなされたものであり、マルチキャリア伝送方式においてＬＤＰＣ符号を多値変調に適用しても反復復調と反復誤り訂正を効率よく利用することにより、特性の優れたＬＤＰＣ符号化変調方式を実現し、データ伝送の特性を向上させる復号装置および方法、ならびに復調復号装置および方法を提供することを目的とする。
【課題を解決するための手段】
【００１２】
上記の課題を解決するために、本発明に係る復号装置は、マルチキャリア伝送方式において、一入力値に対する反復復号について繰り返しＬＤＰＣ復号を行う復号装置であって、前記反復復号を完了した際に復号器の事前値を保存する記憶手段と、次回の反復復号を行う前に、復号器の初期化を行い、前記記憶手段に記憶した事前値に基づいて復号器の初期値を更新する更新手段と、を備え、該更新された初期値に基づいて、引き続いて反復復号を行うことを特徴とする。
【００１３】
本発明に係る復号装置においては、マルチキャリア伝送方式において、一入力値に対する反復復号について繰り返しＬＤＰＣ復号を行う復号方法であって、前記反復復号を完了した際に復号器の事前値を保存する第１のステップと、次回の反復復号を行う前に、復号器の初期化を行い、前記保存した事前値に基づいて復号器の初期値を更新する第２のステップと、該更新された初期値に基づいて、引き続いて反復復号を行う第３のステップと、を有することを特徴とする。
【００１４】
本発明に係る復調復号装置は、マルチキャリア伝送方式において、復調器の出力復調値をＬＤＰＣ復号器に入力し、繰り返しＬＤＰＣ復号を行う復調復号装置であって、前記復号器が初期化を行って反復復号を行い、復号器の出力事後値を出力するとともに、該出力された出力事後値をフィードバック入力して復調値を更新し、引き続いて復調復号を行うものであり、前記反復復号を完了した際に復号器の事前値を保存する記憶手段と、次回の反復復号を行う前に、復号器の初期化を行い、前記記憶手段に記憶した事前値に基づいて復号器の初期値を更新する更新手段と、を備え、該更新された初期値に基づいて、引き続いて反復復号を行うことを特徴とする。
【００１５】
本発明に係る復調復号装置においては、マルチキャリア伝送方式において、復調器の出力復調値をＬＤＰＣ復号器に入力し、繰り返しＬＤＰＣ復号を行う復調復号方法であって、前記復号器が初期化を行って反復復号を行い、復号器の出力事後値を出力する第１のステップと、該出力された出力事後値をフィードバック入力して復調値を更新し、引き続いて復調復号を行う第２のステップと、前記反復復号を完了した際に復号器の事前値を保存する第３のステップと、次回の反復復号を行う前に、復号器の初期化を行い、前記保存した事前値に基づいて復号器の初期値を更新する第４のステップと、該更新された初期値に基づいて、引き続いて反復復号を行う第５のステップと、を有することを特徴とする。
【発明の効果】
【００１６】
本発明によれば、マルチキャリア伝送方式においてＬＤＰＣ符号を多値変調に適用しても反復復調と反復誤り訂正を効率よく利用することにより、特性の優れたＬＤＰＣ符号化変調方式を実現し、マルチキャリア伝送方式におけるデータ伝送の特性を向上させることができる。また、ＬＤＰＣ復号における反復復号回数を減少させることができ、誤り訂正能力の劣化を防止して、低誤り率で信頼性の高いマルチキャリア伝送における通信を行うことが可能になる。
【発明を実施するための最良の形態】
【００１７】
以下、図面を参照し、本発明の一実施形態について説明する。
図１は、本発明の一実施形態に係るマルチキャリア伝送方式のシステムの全体構成を示すブロック図である。図１にはマルチキャリア伝送方式の一例としてＭＣ−ＣＤＭＡ方式を示している。なお、本実施形態は、ＯＦＤＭ方式等の他のマルチキャリア伝送方式にも同様に適用できる。
【００１８】
図１において、送信機１００は、ＬＤＰＣ符号器１０１、変調器１０２、シリアル／パラレル変換器１０３、拡散器１０４、逆フーリエ変換器１０５及びパラレル/シリアル変換器１０６を備える。送信機１００は、入力情報データのＬＤＰＣ符号化を行い、符号化データを変調して生成した変調シンボルに対してマルチキャリア対応の処理を行う。そのマルチキャリア対応の処理においては、変調シンボルをパラレル信号に変換してから拡散し、拡散された信号を逆フーリエ変換してからシリアル信号に戻して通信路に送信する。
【００１９】
受信機２００は、シリアル/パラレル変換器２０１、フーリエ変換器２０２、逆拡散器２０３、パラレル/シリアル変換器２０４、復調器２０５及びＬＤＰＣ復号器２０６を備える。受信機２００は、通信路から受信した信号に対してマルチキャリア対応の処理を行う。そのマルチキャリア対応の処理においては、受信信号をパラレル信号に変換してからフーリエ変換し、フーリエ変換後の信号を逆拡散してからシリアル信号に戻す。次いで、その逆拡散後の信号を復調器２０５で復調して復調値をＬＤＰＣ復号器２０６に入力する。ＬＤＰＣ復号器２０６は、ＬＤＰＣ復号化を行い、ＬＤＰＣ復号器２０６の出力を復調器２０５に戻して復調値を更新し、次回のＬＤＰＣ反復復号を行う。以上の復調と復号処理を数回に繰り返して行う。
【００２０】
図２は、本実施形態に係るＬＤＰＣ符号の反復復調復号方式の構成を示すブロック図である。図２に示される構成は、図１に示す本実施形態に係るマルチキャリア伝送方式の受信機２００に備わる。図２に示されるように、復調器２０５とＬＤＰＣ復号器２０６とメモリ２０７とスイッチＳＷ１，ＳＷ２が設けられている。ＬＤＰＣ復号器２０６は、ＬＤＰＣ符号の反復復号を行う。スイッチＳＷ１はＬＤＰＣ復号器２０６の反復復号完了時にオンする。メモリ２０７は、スイッチＳＷ１のオン時に、スイッチＳＷ１を介して、ＬＤＰＣ復号器２０６による最後の復号事前値を受け取り記憶する。スイッチＳＷ２はＬＤＰＣ復号器２０６の反復復号初期時にオンする。これにより、メモリ２０７に記憶されている最後の復号事前値は、次回反復復号の事前値の初期値としてＬＤＰＣ復号器２０６に入力される。
【００２１】
図３に本実施形態におけるＬＤＰＣ符号の反復復調復号の処理フローを示す。ここで、図３に示した処理フローには、三つの処理がある。
一つ目は、反復復調を行う外部処理（図中、ステップＳ８からステップＳ１１）である。外部処理は、ＬＤＰＣ復号器２０６から戻ってきた復号器の事後値を復調器の事前値として、復調器２０５の出力復調値を更新する。
【００２２】
二つ目は反復復号を行う内部処理である（図中、四角囲みの部分、ステップＳ２からステップＳ６）。内部処理は、外部処理において更新した復調値をＬＤＰＣ復号器２０６に入力して繰り返しＬＤＰＣ復号を行う。ここでの主な復号処理には、行処理、列処理、およびパリティ検査が含まれる。行処理はＬＤＰＣ復号器２０６の外部値を更新することであり、列処理はＬＤＰＣ復号器２０６の事前値を更新することである。ＬＤＰＣ復号が完了すると、ＬＤＰＣ復号器２０６の出力事後値は復調器２０５に戻される。
【００２３】
三つ目の処理は、ＬＤＰＣ復号器２０６の初期化の事前値を更新することである（図中、ステップＳ７）。本実施形態に係るＬＤＰＣ符号の反復復調復号処理では、毎回反復復調を行った後に、すなわち内部処理となるＬＤＰＣ復号を行う前に、復号処理の初期化を行うが、今回の復号初期化を行っているとき、前回完了したＬＤＰＣ復号器２０６の事前値を今回の復号初期事前値として設定して、復号を引き続いて行う。具体的には、上記図２に示したように、前回の反復復号が完了したときの復号事前値をメモリ２０７に保持しておき、その前回の最後の復号事前値を今回の反復復号における復号事前値の初期値に設定する。つまり、従来方式である復号初期事前値を０に設定することを行わない。以上の三つの処理を繰り返して行う。
【００２４】
以下、図３に基づいて、本実施形態におけるＬＤＰＣ符号の反復復調復号方式に関して、復調と復号の処理を詳細に説明する。ＬＤＰＣ符号は、非常に疎な検査行列により定義される線形符号である。疎な検査行列というのは、検査行列（０と１を含む行列）内の１の個数が非常に少ないということを意味している。符号化ブロック長は検査行列の列数に等しく、以下ではＭ×Ｎ行列Ｈを復号したいＬＤＰＣ符号の検査行列とする。
【００２５】
ここで、検査行列Ｈのｍ行ｎ列目の要素をＨｍｎと表記する。また、集合［１，Ｎ］の部分集合Ａ（ｍ）、Ｂ（ｎ）を［数１］のように定義する。
【００２６】
【数１】
2007124341.tif 000003
【００２７】
すなわち、Ａ（ｍ）は検査行列Ｈのｍ行目において１が立っている列インデックスの集合を指し、Ｂ（ｎ）は検査行列Ｈのｎ列目において１が立っている行インデックスの集合を指す。符号化データは［数２］のように仮定し、そのうち、各Ｋビットは一つのシンボルＳｌに変調され、［数３］に示すＬ個シンボルとして送受信したものと仮定する。また、通信路としては、シンボルの条件付確率ＰｃｈＳｌで記述される無記憶通信路を仮定する。以下、本実施形態に係る復調と復号の処理について説明する。
【００２８】
【数２】
2007124341.tif 000004
【００２９】
【数３】
2007124341.tif 000005
【００３０】
＜復調器初期化＞（ステップＳ１）
反復復調回数のカウンタとする変数をｐ＝１とし、復調器の対数事前値比を［数４］とする。また、反復最大復調回数を変数Ｐに設定する。受信シンボル中第ｉビットの対数尤度比は、［数５］により定義される。
【００３１】
【数４】
2007124341.tif 000006
【００３２】
【数５】
2007124341.tif 000007
【００３３】
＜復号器初期化＞（ステップＳ２）
反復回数のカウンタとする変数をｑ＝１とし、反復最大回数を変数Ｑに設定する。Ｈｍｎ＝１を満たす全ての組（ｍ，ｎ）に対して対数事前値比を［数６］とする。
【００３４】
【数６】
2007124341.tif 000008
【００３５】
＜行処理＞（ステップＳ３）
ｍ＝１，２，・・・，Ｍの順にＨｍｎ＝１を満たす全ての組（ｍ，ｎ）に対して、［数７］に示す更新式を利用して［数８］に示す対数外部値比を更新する。ここで、ｓｉｇｎ（ｘ）は、［数９］に示すものであり、［数１０］に示す関数ｆ（ｘ）をＧａｌｌａｇｅｒ関数と呼ぶ。
【００３６】
【数７】
2007124341.tif 000009
【００３７】
【数８】
2007124341.tif 000010
【００３８】
【数９】
2007124341.tif 000011
【００３９】
【数１０】
2007124341.tif 000012
【００４０】
＜列処理＞（ステップＳ３）
ｎ＝１，２，・・・，Ｎの順にＨｍｎ＝１を満たす全ての組（ｍ，ｎ）に対して、［数１１］に示す更新式を利用して事前値を更新する。
【００４１】
【数１１】
2007124341.tif 000013
【００４２】
＜一時推定語の計算およびパリティ検査＞（ステップＳ３、ステップＳ４）
［数１２］を計算し（ステップＳ３）、一時推定語が符号語になっているかどうかを検査する（ステップＳ４）。このとき、［数１３］の関係を満たせば、［数１４］を推定語として出力し、アルゴリズムを終了する。
【００４３】
【数１２】
2007124341.tif 000014
【００４４】
【数１３】
2007124341.tif 000015
【００４５】
【数１４】
2007124341.tif 000016
【００４６】
＜反復復号回数のカウント＞（ステップＳ５、ステップＳ６）
反復回数ｑがｑ＜Ｑの関係にある場合には、ｑをｑ＝ｑ＋１として（ステップＳ６）、ステップＳ３に戻る。他方、ｑ＝Ｑである場合においてｐ＜Ｐであるときは、ｐをｐ＝ｐ＋１として（ステップＳ９、ステップＳ１０）、［数１５］に示す復調器の事前値が更新され（ステップＳ８）、受信シンボル中第ｉビットの対数尤度比が、［数１６］に示すように更新されてステップＳ２に戻る。また、反復回数ｑがｑ＝Ｑの場合には、復号器事前値β（ｐ）をβ（ｐ）＝β（ｐ−１）に更新して、ステップＳ２に戻る（ステップＳ７）。
【００４７】
【数１５】
2007124341.tif 000017
【００４８】
【数１６】
2007124341.tif 000018
【００４９】
＜反復復調回数のカウント＞（ステップＳ１０、ステップＳ１１）
また、ｑ＝Ｑである場合においてｐ＝Ｐであるときは、［数１７］を推定語として出力し、処理を終了する。
【００５０】
【数１７】
2007124341.tif 000019
【００５１】
上述した実施形態によれば、マルチキャリア伝送方式においてＬＤＰＣ符号を多値変調に適用しても反復復調と反復誤り訂正を効率よく利用することにより、特性の優れたＬＤＰＣ符号化変調方式を実現し、マルチキャリア伝送方式におけるデータ伝送の特性を向上させることができる。また、ＬＤＰＣ復号における反復復号回数を減少させることができ、誤り訂正能力の劣化を防止して、低誤り率で信頼性の高いマルチキャリア伝送における通信を行うことが可能になる。
【００５２】
上述したように本発明は、マルチキャリア伝送方式において、ＬＤＰＣ符号における反復復調復号方式を適用するものであって、マルチキャリア伝送方式における反復復調復号方式として、ＬＤＰＣ反復復号回数を少なくしても、データ伝送の特性の劣化を抑えることができるものである。
【００５３】
以上、本発明の実施形態を図面を参照して詳述してきたが、具体的な構成はこの実施形態に限られるものではなく、本発明の要旨を逸脱しない範囲の設計変更等も含まれる。
例えば、本実施形態においては、前回完了したＬＤＰＣ復号器の事前値を今回の復号初期事前値としてそのまま設定する方法について説明したが、前回完了したＬＤＰＣ復号器の事前値に所定の係数を乗じる等の加工を行ったものを今回の復号初期事前値として設定してもよい。
【図面の簡単な説明】
【００５４】
【図１】本発明の一実施形態に係るマルチキャリア伝送システムの全体構成を示すブロック図である。
【図２】同実施形態に係るＬＤＰＣ符号の反復復調復号方式の構成を示すブロック図である。
【図３】同実施形態における反復復調と復号の処理フロー図である。
【図４】従来例における反復復調と復号の処理フロー図である。
【符号の説明】
【００５５】
１００…送信機、１０１…ＬＤＰＣ符号器、１０２…変調器、１０３，２０１…シリアル／パラレル変換器、１０４…拡散器、１０５…逆フーリエ変換器、１０６，２０４…パラレル/シリアル変換器、２００…受信機、２０２…フーリエ変換器、２０３…逆拡散器、２０５…復調器、２０６…ＬＤＰＣ復号器、２０７…メモリ、ＳＷ１，ＳＷ２…スイッチ
【図１】
2007124341.tif 000020
【図２】
2007124341.tif 000021
【図３】
2007124341.tif 000022
【図４】
2007124341.tif 000023